(57)【要約】【課題】安全かつ容易に親綱を屋根に展開できる親綱展開具の提供。【解決手段】親綱展開具２は、筒体４及び呼び線６を備えている。筒体４は、その手元部から先端部まで連通する案内孔と、手元部に形成され案内孔に貫通する入口孔と、筒体の先端部に形成され案内孔に貫通する出口孔とを備えている。呼び線６の先端が入口孔から案内孔に通されて、案内孔から出口孔を通されて筒体の外に出ている。筒体４は、直径の異なる複数の筒状の節（１０ａから１０ｍ）を有している。内側の節がその径方向外側に隣合う節の空間から引き出されることにより筒体４が伸ばされ、内側の節がその径方向外側に隣合う節の空間に押し込まれることにより筒体４が縮められる。呼び線６の先端部に着脱可能にボール８が取り付けられている。【選択図】図１
2011179241.tif 000002
【特許請求の範囲】
【請求項１】
筒体及び呼び線を備えており、
この筒体が筒体の手元部から先端部まで連通する案内孔と、手元部に形成され案内孔に貫通する入口孔と、先端部に形成され案内孔に貫通する出口孔とを備えており、
この呼び線が入口孔から案内孔に通されて、呼び線の先端部が案内孔から出口孔を通されて筒体の外に出ている親綱展開具。  
【請求項２】
上記筒体が直径の異なる複数の筒状の節を有し、この複数の節が径方向に重なり合っており、節がその径方向外側に隣合う節の空間に通されて構成されており、
この内側の節がその径方向外側に隣合う節の空間から引き出されることにより筒体が伸ばされ、内側の節がその径方向外側に隣合う節の空間に押し込まれることにより筒体が縮められるように構成されており、
この筒体が伸ばされて複数の節の連通する空間が案内孔を形成する請求項１に記載の親綱展開具。
【請求項３】
上記呼び線の先端部に着脱可能に頭部が取り付けられている請求項１又は２に記載の親綱展開具。
【請求項４】
筒体の手元部から先端部まで連通する案内孔に手元部から先端部に向かって呼び線が送り込まれるステップと、
この筒体が先端部を家屋の屋根の一方側の上方に位置するように配置されるステップと、
この呼び線が更に手元部から先端部に向かって送りこまれて屋根の一方側から他方側に延ばされて配置されるステップと、
この呼び線の先端部に親綱の先端部が連結されるステップと、
この呼び線が手元部で引き戻されて親綱の先端部が屋根の他方側から一方側に向かって送られるステップと、
この呼び線の先端部が屋根の一方側から下方に下ろされることで親綱が家屋の屋根の他方側から一方側まで延ばされて配置されるステップと、
親綱の両端が固定されるステップと
を備える親綱展開方法。
【請求項５】
筒体の手元部から先端部まで連通する案内孔に手元部から先端部に向かって呼び線が送り込まれるステップと、
この筒体が先端部を家屋の屋根の一方側の上方に位置するように配置されるステップと、
この呼び線が更に手元部から先端部に向かって送りこまれて屋根の一方側から他方側に延ばされて配置されるステップと、
この呼び線の先端部に親綱の先端部が連結されるステップと、
この呼び線が手元部で引き戻されて親綱の先端部が屋根の他方側から一方側に向かって送られるステップと、
この呼び線の先端部が屋根の一方側から下方に下ろされることで親綱が屋根の他方側から一方側まで延ばされて配置されるステップと、
親綱の両端が固定されるステップと、
この親綱が移動用ロープを介して作業者に連結されるステップと、
この作業者が移動用ロープに連結された状態で作業を行うステップと
を備えており、
この移動用ロープがスライドロック機構を備えており、スライドロック機構により親綱に対してスライド可能な状態とスライドしない状態とを切り替え可能に構成されている作業方法。
【請求項６】
上記移動用ロープがグリップを備えており、
このグリップが、本体、爪及び弾性体を備えており、
この弾性体の付勢力により、本体と爪とが親綱を挟み込んでおり、
この爪が弾性体の付勢力に抗して回動可能に構成されており、
この爪が回動されて本体と爪との親綱の挟み込みを解除して、親綱に沿ってスライド可能に構成されている請求項５に記載の作業方法。
【発明の詳細な説明】
【技術分野】
【０００１】
本発明は、家屋の屋根に親綱を展開する親綱展開具と、この親綱展開具を用いた親綱展開方法と、この親綱展開具を用いた作業方法に関する。
【背景技術】
【０００２】
家屋の屋根上の作業者が転落することを防止のため、安全装置が設置される。この安全装置の一つとして、屋根の上に親綱が展開配置される方法がある。この親綱に作業者の命綱が連結される。作業者は、命綱が連結された状態で、作業を行う。これにより、作業者が転落することが防止される。この安全装置では、作業者が親綱を屋根の上に展開する必要がある。この親綱を展開する作業では、転落を防止する措置が十分にとれない。
【０００３】
特開２００５−３２５５６２公報では、伸縮可能な操作棒を用いて、親綱を展開する方法が提案されている。この操作棒が梯子に固定されている。この操作棒の先端が屋根の棟を超えた状態で、操作棒の先端から重錘を降下させてロープが屋根上に展開されている。このロープに親綱が連結される。ロープが引き戻される。これにより、親綱が屋根上に展開される。この方法は、親綱の展開がより安全に行い得る。
【先行技術文献】
【特許文献】
【０００４】
【特許文献１】特開２００５−３２５５６２公報
【発明の概要】
【発明が解決しようとする課題】
【０００５】
特開２００５−３２５５６２公報の方法では、梯子に登った状態でロープが展開されている。作業者は、梯子から転落する恐れがある。地上からロープを展開するには、このロープの先端の重錘を投げ上げる必要がある。投げ上げる方法では、確実にロープを展開することは困難である。送られるロープが、樋などに引っ掛かってしまう恐れがある。重錘が屋根材を損傷する恐れがある。
【０００６】
本発明の目的は、安全に親綱を屋根に展開できる親綱展開具と、この親綱展開具による親綱展開方法の提供にある。更に、本発明の目的は、この親綱展開具を用いた作業方法の提供にある。
【課題を解決するための手段】
【０００７】
本発明に係る親綱展開具は、筒体及び呼び線を備えている。この筒体は、筒体の手元部から先端部まで連通する案内孔と、手元部に形成され案内孔に貫通する入口孔と、先端部に形成され案内孔に貫通する出口孔とを備えている。この呼び線は、入口孔から案内孔に通されている。呼び線の先端部は、案内孔から出口孔を通されて筒体の外に出ている。
【０００８】
好ましくは、この親綱展開具の筒体は、直径の異なる複数の筒状の節を有している。この複数の節は、径方向に重なり合っている。節は、その径方向外側に隣合う節の空間に通されている。この筒体は、内側の節がその径方向外側に隣合う節の空間から引き出されることにより筒体が伸ばされ、内側の節がその径方向外側に隣合う節の空間に押し込まれることにより筒体が縮められるように構成されている。筒体が伸ばされて、複数の節の連通する空間が案内孔を形成する。
【０００９】
好ましくは、この親綱展開具では、上記呼び線の先端部に着脱可能に頭部が取り付けられている。
【００１０】
本発明に係る親綱展開方法は、
筒体の手元部から先端部まで連通する案内孔に手元部から先端部に向かって呼び線が送り込まれるステップと、
この筒体が先端部を家屋の屋根の一方側の上方に位置するように配置されるステップと、
この呼び線が更に手元部から先端部に向かって送りこまれて屋根の一方側から他方側に延ばされて配置されるステップと、
この呼び線の先端部に親綱の先端部が連結されるステップと、
この呼び線が手元部で引き戻されて親綱の先端部が屋根の他方側から一方側に向かって送られるステップと、
この呼び線の先端部が屋根の一方側から下方に下ろされることで親綱が家屋の屋根の他方側から一方側まで延ばされて配置されるステップと、
親綱の両端が固定されるステップと
を備える。
【００１１】
本発明にかかる作業方法は、
筒体の手元部から先端部まで連通する案内孔に手元部から先端部に向かって呼び線が送り込まれるステップと、
この筒体が先端部を家屋の屋根の一方側の上方に位置するように配置されるステップと、
この呼び線が更に手元部から先端部に向かって送りこまれて屋根の一方側から他方側に延ばされて配置されるステップと、
この呼び線の先端部に親綱の先端部が連結されるステップと、
この呼び線が手元部で引き戻されて親綱の先端部が屋根の他方側から一方側に向かって送られるステップと、
この呼び線の先端部が屋根の一方側から下方に下ろされることで親綱が屋根の他方側から一方側まで延ばされて配置されるステップと、
親綱の両端が固定されるステップと、
この親綱が移動用ロープを介して作業者に連結されるステップと、
この作業者が移動用ロープに連結された状態で作業を行うステップと
を備えている。
この移動用ロープは、スライドロック機構を備えている。移動用ロープは、スライドロック機構により親綱に対してスライド可能な状態とスライドしない状態とを切り替え可能に構成されている。
【００１２】
好ましくは、この作業方法では、上記移動用ロープがグリップを備えている。このグリップは、本体、爪及び弾性体を備えている。この弾性体の付勢力により、本体と爪とが親綱を挟み込んでいる。この爪が弾性体の付勢力に抗して回動可能に構成されており、
この爪が回動されて本体と爪との親綱の挟み込みを解除して、親綱に沿ってスライド可能に構成されている。
【発明の効果】
【００１３】
本発明に係る親綱展開具を用いることで、地上から容易に呼び線を展開できる。この親綱展開具を用いることで、より安全に家屋の屋根上の作業が可能となる。本発明に係る親綱展開方法及び屋根上の作業方法は、家屋の屋根上の作業の安全がより確保されうる。
【図面の簡単な説明】
【００１４】
【図１】図１は、本発明の一実施形態に係る親綱展開具が示された正面図である。
【図２】図２は、図１の矢印IIで示された部分の一部断面が示された説明図である。
【図３】図３は、図１の矢印IIIで示された部分の一部断面が示された説明図である。
【図４】図４は、図１の親綱展開具の使用状態が示された説明図である。
【図５】図５は、図１の親綱展開具の他の使用状態が示された説明図である。
【図６】図６は、図１の親綱展開具の更に他の使用状態が示された説明図である。
【図７】図７は、図６の親綱の使用状態が示された説明図である。
【図８】図８は、図７の使用状態で親綱に連結されたグリップが示された説明図である。
【図９】図９は、本発明に係る親綱展開方法で展開された親綱の他の使用状態が示された説明図である。
【発明を実施するための形態】
【００１５】
以下、適宜図面が参照されつつ、好ましい実施形態に基づいて本発明が詳細に説明される。
【００１６】
図１に示された親綱展開具２は、筒体４と、呼び線６と、頭部としてのボール８とを備えている。筒体４は、１２本の節を備えている。筒体４は、節１０ａ、１０ｂ、１０ｃ、１０ｄ、１０ｅ、１０ｆ、１０ｇ、１０ｈ、１０i、１０ｊ、１０ｋ及び１０ｍを備えている。節１０ａは、手元側に位置する。節１０ａから節１０ｍに向かって順に先端側に位置している。
【００１７】
図１及び図２に示される節１０ａの形状は、筒状である。節１０ａは、その長手方向に延びる空間１２ａが形成されている。この空間１２ａは、節１０ａの長手方向に貫通している。節１０ａの太さは、元端側から先端側に向かって細くなっている。節１０ａの太さと同様に空間の外径も元端側から先端側に向かって細くなっている。
【００１８】
図１に示されるように、節１０ａの元端側端面の空間１２ａの開口は、栓１４で塞がれている。図２に示されように、節１０ａの筒状の壁１６には入口孔１８が形成されている。この入口孔１８は、節１０ａの壁１６を空間１２ａに貫通している。この入口孔１８は、節１０ａの元端側から先端側に向かって径方向外側から内側に傾斜して貫通している。節１０ａの先端部には、キャップ止め２０が取り付けられている。このキャップ止め２０には、孔２２が形成されている。
【００１９】
節１０ｂの形状は、節１０ａと同様に筒状である。節１０ｂは、その長手方向に延びる空間１２ｂを備えている。この空間１２ｂは、節１０ｂの長手方向に貫通している。節１０ｂの太さは、元端側から先端側に向かって細くなっている。節１０ｂの太さと同様に空間１２ｂの外径も元端側から先端側に向かって細くなっている。節１０ｃから節１０ｍの形状は、その太さ及び空間の外形が異なるが、節１０ｂと同様の形状である。
【００２０】
図３に示されるように、節１０ｍの空間１２ｍは、節１０ｍの先端で開口している。この先端の開口は、出口孔２４と称する。
【００２１】
この筒体４では、節１０ａの空間１２ａに節１０ｂが挿入されている。節１０ｂは、節１０ａに対してスライド可能に挿入されている。節１０ｂの元端の太さは、節１０ａの先端の空間１２ａの外径より大きい。節１０ｂの元端は節１０ａの先端の空間１２ａから抜けないようにされている。同様にして、節１０ｂに節１０ｃがスライド可能に挿入されている。この様にして、内側の節はその径方向外側に隣り合う節の空間に通されている。
【００２２】
図１に示される呼び線６は、電線、電話線、光ケーブル等を保護管内に引き込み配線する際に用いられる引き込み用線材である。図１及び図３に示されるように、この呼び線６は、呼び線本体２６、収納ケース２８及び先端具３０を備えている。呼び線本体２６の材料としては、繊維強化プラスチック（ＦＲＰ）、ポリエチレンテレフタラート（ＰＥＴ）等が例示される。使用しないときに、この呼び線本体２６は、収納ケース２８に収納されている。使用するときに、呼び線本体２６が収納ケース２８から引き出される。呼び線本体２６の先端には、先端具３０が連結されている。図示されないが、この先端具３０には雄ねじが形成されている。
【００２３】
図３に示されるように、ボール８は、本体３２、取付具３４及び環３６を備えている。本体３２としては、ポリ塩化ビニル（ＰＶＣ）製の空気入りボール、ゴム製ボールなどが例示される。このボール８は、頭部の一例である。頭部の外表面は、家屋４２の突起物に引っ掛かり難い滑らかな曲面であることが好ましい。頭部の形状は、特に球体が好ましい。
【００２４】
取付具３４は、本体３２に固定されている。この取付具３４には、雌ねじが形成されている。取付具３４には、環３６が取り付けられている。この取付具３４の雌ねじに、呼び線６の先端具３０の雄ねじがねじ込まれて締結されている。このボール８は、呼び線６に着脱可能に取り付けられている。このボール８が呼び線６に着脱可能に取り付けられていれば良く、ねじ締結以外の取付方法が用いられても良い。例えば、取付具３４と先端具３０とが面ファスナーを構成していて、ボール８が呼び線６に取り付けられても良い。
【００２５】
図４（ａ）は、筒体４の全長が縮められた状態が示されている。節１０ａの空間１２ａに節１０ｂが挿入されている。節１０ｂの空間１２ｂに節１０ｃが挿入されている。同様にして、節１０ｃから節１０ｍまでが順に挿入されている。節１０ａには、節１０ｂから節１０ｍが収納されている。キャップ止め２０には、キャップ３８が取り付けられている。キャップ３８により、孔２２は塞がれている。この筒体４は、持ち運びが容易にされている。
【００２６】
図４（ａ）の状態から、キャップ３８が外される。孔２２から、節１０ｍから節１０ｂまでの、内側の節が引き出される。節１０ｂの元端は節１０ａの先端の空間１２ａから抜けないようにされている。節１０ｂの元端部は、節１０ａの先端部に重なり合っている。同様にして、節１０ｂから節１０ｍまで、径方向内側の節の元端部が、径方向外側の節の先端部に重なり合っている。この様にして、筒体４は、その全長を伸ばされる。節１０ａから節１０ｍは、内側の節が径方向外側に隣り合う節から抜け止めされていればよく、元端側から先端側まで太さが一定であっても良い。
【００２７】
図４（ｂ）には、筒体４が伸ばされた状態の一部が示されている。図示されないが、この伸ばされた筒体４は、節１０ａの空間１２ａから節１０ｍの空間１２ｍまでを連通する空間が形成されている。この複数の節１０ａから１０ｍを連通する空間が案内孔４０である。図２には、この案内孔４０の手元側の一部が示されている。この筒体４では、節１０ａが手元部である。図３には、この案内孔４０の先端側の一部が示されている。この筒体４では、節１０ｍが先端部である。
【００２８】
図４（ｂ）には、入口孔１８から案内孔４０に挿入される前の呼び線６が示されている。この呼び線６の先端具３０が入口孔１８から案内孔４０に挿入される。この呼び線６が、案内孔４０に押し込まれていく。呼び線６の先端具３０は、節１０ａから挿入されて、節１０ｍに向かって押し込まれていく。この先端具３０は、節１０ｍの出口孔２４から押し出される。このようにして、呼び線６は、筒体４に通される。
【００２９】
図４（ｃ）は、呼び線６が筒体４を通された状態が示されている。この図４（ｂ）から図４（ｃ）までは、筒体４の案内孔４０に、筒体４の手元部から先端部に向かって呼び線６が送り込まれるステップである。
【００３０】
更にこの実施形態では、先端具３０の雄ねじが、ボール８の取付具３４の雌ねじにねじ込まれる。呼び線６にボール８が取り付けられる。図４（ｄ）は、呼び線６にボール８が取り付けられた状態が示されている。
【００３１】
図５（ａ）は、図４（ｄ）に示された筒体４が家屋４２に立て掛けられた状態が示されている。この図５（ａ）は、筒体４が、節１０ｍを屋根４４の一方側４４ａの上方に位置するように配置されるステップである。
【００３２】
図５（ａ）の状態で、呼び線６は、更に入口孔１８から案内孔４０に押し込まれる。呼び線６の先端具３０及びボール８は、屋根４４の一方側４４ａから他方側４４ｂに向かって延びていく。呼び線６の筒体４から突き出された部分は、その部分の自重と、ボール８の重さとにより、徐々に湾曲させられる。この湾曲により、先端具３０及びボール８が下向きに下がっていく。
【００３３】
図５（ｂ）は、呼び線６が一方側４４ａから他方側４４ｂに延ばされてた状態が示されている。図５（ａ）の状態から図５（ｂ）の状態に至るまでが、呼び線６が更に筒体４の手元部から先端部に向かって送りこまれて屋根４４の一方側４４ａから他方側４４ｂに延ばされて配置されるステップである。
【００３４】
図５（ｂ）の状態から、更に、呼び線６は、入口孔１８から案内孔４０に押し込まれる。呼び線６の筒体４から突き出された部分の湾曲により、先端具３０及びボール８は、地面に向かって下がっていく。図５（ｃ）には、この様にして、先端具３０及びボール８が地面に近付いた状態が示されている。
【００３５】
ボール８の環３６に、親綱４６の先端部が結び付けられる。図５（ｄ）には、呼び線６の先端具３０が、ボール８を介して親綱４６の先端部に連結された状態が示されている。図５（ｃ）の状態から図５（ｄ）の状態に至るまでが、呼び線６に親綱４６が連結されるステップである。
【００３６】
図５（ｄ）の状態から、呼び線６は、入口孔１８から引き戻される。図６（ａ）には、呼び線６の先端具３０及びボール８が、屋根４４の上方に引き戻された状態が示されている。図６（ｂ）には、この先端具３０及びボール８が、屋根４４の他方側４４ｂから一方側４４ａに向かって引き戻された状態が示されている。親綱４６の先端部は、他方側４４ｂから一方側４４ａに向かって送られている。図５（ｄ）の状態から図６（ｂ）の状態に至るまでが、呼び線６が手元部で引き戻されて親綱４６の先端部が屋根４４の他方側４４ｂから一方側４４ｂに向かって送られるステップである。
【００３７】
図６（ｂ）の状態から、筒体４が地面に置かれる。図６（ｃ）には、筒体４が地面に置かれた状態が示されている。呼び線６の先端具３０及びボール８が下方に下ろされている。図６（ｂ）の状態から図６（ｃ）の状態から至るまでが、呼び線６の先端具３０が屋根４４の一方側４４ａから下方に下ろされることで親綱４６が家屋４２の屋根４４の他方側４４ｂから一方側４４ａまで延ばされて配置されるステップである。なお、筒体４の全長が縮められて、呼び線６の先端具３０が屋根４４の一方側４４ａから下方に下ろされてもよい。
【００３８】
この図６（ｃ）の状態で、親綱４６の先端部がボール８の環３６から外される。親綱４６の先端部が重錘としての水袋４８に連結される。この水袋４８は、その袋の中に水を入れられた重錘である。同様にして、親綱４６の後端部が水袋５０に連結される。図６（ｄ）は、この様にして、親綱４６が屋根４４の上に展開された状態が示されている。図６（ｃ）の状態から図６（ｄ）の状態に至るまでが、親綱４６の両端が固定されるステップである。
【００３９】
図７は、この親綱４６を使用した作業者５０の作業状態が示されている。図６（ｄ）に示された親綱４６の近傍で、梯子５２が家屋４２に立て掛けられる。作業者５０は、安全帯５４を装着している。
【００４０】
この移動用ロープ５６は、連結具５７、ロープ本体５８、巻取器６０及びグリップ６２を備えている。ロープ本体５８の一端に連結具５７が連結されている。ロープ本体５８の他端が巻取器６０に連結されている。巻取器６０は、ロープ本体５８の他端部を、巻取り繰り出し可能に巻き取っている。
【００４１】
この巻取器６０がグリップ６２に連結されている。このグリップ６２は、親綱４６に取り付けられている。この様にして、この安全帯５４と、移動用ロープ５６と、親綱４６とが連結されている。
【００４２】
巻取器６０は、繰り出しを阻止する手動ロック機構を備えている。この手動ロック機構を作用させることで、ロープ本体５８の繰り出しが阻止されてる。この巻取器６０は、手動ロック機構を解除することで、ロープ本体５８の繰り出しが可能になっている。
【００４３】
この手動ロック機構が解除された状態にあっても、急激にロープ本体５８が繰り出されると、繰り出しを阻止する自動ロック機構が備えられている。この自動ロック機構は、一般に周知であり、ここではその詳細な説明が省略される。この自動ロック機構としては、ロープ本体５８を巻き取っているドラムの回転の遠心力を利用して、巻取器６０の本体とドラムとの間でロック爪を係合させる機構が例示される。また、移動用ロープ５６は、巻取器６０を備えなくてもよい。移動用ロープ５６は、連結具５７、ロープ本体５８及びグリップ６２から構成されてもよい。
【００４４】
図８に示されるように、グリップ６２は、本体６４、第一爪６６、第二爪６８、握り桿７０、連結環７２及び弾性体としてのバネ７４を備えている。バネ７４の付勢力により、本体６４と第一爪６６及び第二爪６８とが親綱４６を挟み込んでいる。挟み込むことで、グリップ６２は、親綱４６に固定される。本体６４、第一爪６６、第二爪６８、握り桿７０及びバネ７４は、親綱４６に対してのスライドを阻止するスライドロック機構を構成している。連結環７２の孔７６を利用して巻取器６０が取り付けられる。
【００４５】
このグリップ６２では、矢印Ｘで示された一方向に連結環７２が引かれると、第一爪６６及び第二爪６８はバネ７４の付勢力に抗して回動する。本体６４と第一爪６６及び第二爪６８とが親綱４６の挟み込みを解除する。このグリップ６２のスライドロック機構が解除され、グリップ６２は親綱４６に沿ってスライド可能にされる。このグリップ６２では、連結環７２に代えて、握り桿７０を一方向に移動させることでも、第一爪６６及び第二爪６８はバネ７４の付勢力に抗して回動する。
【００４６】
図７では、この親綱４６に移動用ロープ５６のグリップ６２が連結される。連結具５７が安全帯５４に連結される。この様にして、親綱４６と移動用ロープ５６と安全帯５４とが連結される。この移動用ロープ５６は、安全帯５４を介して作業者５０に連結されている。この様にして、親綱４６が移動用ロープ５６を介して作業者５０に連結されるステップが行われる。
【００４７】
作業者が、梯子５２を昇る。グリップ６２は一方向に（図７上方向きに）連結環７２を回動させることで又は握り桿７０を移動させることで、作業者５０の移動に伴い、親綱４６に連結されたまま、親綱４６に沿ってスライドする。この移動用ロープ５６は、スライドロック機構により、親綱４６に対してスライド可能な状態とスライドしない状態とを切り替え可能に構成されている。
【００４８】
図９は、屋根４４の上での作業状態が示された説明図である。屋根４４の上では、スライドロック機構により、グリップ６２は、親綱４６に固定されている。親綱４６から離れる向きに作業者５０が移動すると、巻取器６０からロープ本体５８が繰り出される。これにより、作業者５０は、所定の範囲で移動可能に作業をすることができる。
【００４９】
図９に示されるように、親綱４６の先端は梯子５２に連結されていてもよい。また、親綱の先端部及び後端部のいずれか一方又は両方が、家屋に連結されていてもよい。
【００５０】
この梯子５２を昇る行為又は屋根４４の上で作業することは、いずれも作業者５０が移動用ロープ５６に連結された状態で作業を行うステップである。
【００５１】
通常、グリップ６２は、スライドロック機構により親綱４６に固定されている。作業者５０が屋根４４や梯子５２から落下すると、巻取器６０の自動ロック機構が働く。これにより、作業者５０が高所から落下することが抑制されている。なお、屋根４４上では、親綱４６に巻取器６０が連結され、巻取器６０がロープ本体５８を繰り出し可能な範囲で作業がされてもよい。
【００５２】
この親綱案内具２では、筒体４の案内孔４０を通して呼び線６が送られる。呼び線６が、家屋４２の凹凸部に引っ掛かることが防止される。呼び線６を容易に送り出すことができる。
【００５３】
呼び線本体２６では、筒体４の出口孔２４から突出させられた部分は、その自重、先端具３０及びボール８の重さで湾曲する。この湾曲により、徐々に先端具３０及びボール８が下方に下がる。これにより、筒体４の節１０ｍが屋根４４の一方側４４ａの上方に位置した状態で、先端具３０及びボール８が他方側４４ｂ側へ送られうる。勢いをつけて先端具３０を送る必要がないので、屋根材等を損傷することが抑制される。
【００５４】
更に、ボール８を備えることで、より一層、屋根材等を損傷することが抑制される。また、家屋４２の樋などの凹凸部に引っ掛かることが抑制される。更に、筒体４は伸縮可能である。ボール８は着脱可能にされている。この親綱案内具２は、携帯に適している。
【００５５】
この親綱展開具２を用いた親綱展開方法では、地上から親綱４６を展開できる。この親綱展開方法は、安全性に優れている。親綱４６の展開が容易にされている。親綱展開具２により、家屋４２の損傷が抑制されている。
【００５６】
親綱展開具２及び移動用ロープ５６を用いた作業方法では、梯子５２を昇り始めるときから地上に降りるときまで、作業者５０の転落事故の発生が抑制されている。この作業法は、安全性に優れている。
【００５７】
この筒体４は１２本の節を備えているが、本発明に係る筒体は１本の筒（節）から構成されても良い。また、この筒体は、筒体４と同様の構造を備える、２本以上の複数の節を備えていてもよい。
【符号の説明】
【００５８】
２・・・親綱展開具
４・・・筒体
６・・・呼び線
８・・・ボール
１０・・・節
１２・・・空間
１４・・・栓
１６・・・壁
１８・・・入口孔
２０・・・キャップ止め
２２・・・孔
２４・・・出口孔
２６・・・呼び線本体
２８・・・収納ケース
３０・・・先端具
３２・・・本体
３４・・・取付具
３６・・・環
３８・・・キャップ
４０・・・案内孔
４２・・・家屋
４４・・・屋根
４６・・・親綱
４８、５０・・・水袋
５２・・・梯子
５４・・・安全帯
５６・・・移動用ロープ
５７・・・連結具
５８・・・ロープ本体
６０・・・巻取器
６２・・・グリップ
６４・・・本体
６６・・・第一爪
６８・・・第二爪
７０・・・握り桿
７２・・・連結環
７４・・・バネ
７６・・・孔
【図１】
2011179241.tif 000003
【図２】
2011179241.tif 000004
【図３】
2011179241.tif 000005
【図４】
2011179241.tif 000006
【図５】
2011179241.tif 000007
【図６】
2011179241.tif 000008
【図７】
2011179241.tif 000009
【図８】
2011179241.tif 000010
【図９】
2011179241.tif 000011